(57)【要約】【課題】実空間の店舗または設備を利用するユーザのユーザ情報を容易に提供することができる情報提供装置、情報提供システム、情報提供プログラムおよび情報提供方法を提供すること。【解決手段】実施形態に係る情報提供装置は、情報記憶部と、要求受付部と、情報取得部と、情報送信部とを備える。情報記憶部は、通信ネットワーク上のサービスを利用するユーザのユーザ情報を記憶する。要求受付部は、実空間の店舗または設備と当該店舗または設備を利用するユーザをそれぞれ特定する情報を含む情報提供要求を受け付ける。情報取得部は、要求受付部により情報提供要求を受け付けた場合、情報提供要求で特定されるユーザに対応するユーザ情報のうち、情報提供要求で特定される店舗または設備に応じたユーザ情報を情報記憶部から取得する。情報送信部は、情報取得部により取得されたユーザ情報を含む情報を情報提供要求に応じた通信装置へ送信する。【選択図】図１Ｂ
2015146128.tif 000002
【特許請求の範囲】
【請求項１】
通信ネットワーク上のサービスを利用するユーザのユーザ情報を記憶する情報記憶部と、
実空間の店舗または設備と当該店舗または設備を利用するユーザをそれぞれ特定する情報を含む情報提供要求を受け付ける要求受付部と、
前記要求受付部により情報提供要求を受け付けた場合、前記情報提供要求で特定される前記ユーザに対応するユーザ情報のうち、前記情報提供要求で特定される前記店舗または設備に応じたユーザ情報を前記情報記憶部から取得する情報取得部と、
前記情報取得部により取得されたユーザ情報を含む情報を前記情報提供要求に応じた通信装置へ送信する情報送信部と、を備える
ことを特徴とする情報提供装置。
【請求項２】
前記情報取得部により取得された前記ユーザ情報を含む身分証明書情報を生成する情報生成部を備え、
前記情報送信部は、前記情報生成部によって生成された前記身分証明書情報を前記通信装置へ送信する
ことを特徴とする請求項１に記載の情報提供装置。
【請求項３】
前記情報記憶部に記憶される前記ユーザ情報には、前記ユーザの属性を示す複数の属性情報が含まれ、
前記情報取得部は、前記複数の属性情報のうち前記店舗または設備に応じた属性情報を選択して前記情報記憶部から取得し、
前記情報生成部は、前記情報取得部によって取得された前記属性情報を含む前記身分証明書情報を生成する
ことを特徴とする請求項２に記載の情報提供装置。
【請求項４】
前記ユーザの属性を特定する情報を管理する情報管理装置から前記通信ネットワークを介して送信される情報に基づいて、前記情報取得部によって取得された前記属性情報の正当性を判定する正当性判定部を備え、
前記情報生成部は、前記正当性判定部により前記属性情報の正当性がないと判定された場合に、前記情報管理装置から取得される前記ユーザの属性を特定する情報を含む前記身分証明書情報を生成する
ことを特徴とする請求項３に記載の情報提供装置。
【請求項５】
前記情報記憶部は、
ユーザ端末の識別情報を前記ユーザ情報に関連付けて記憶しており、
前記要求受付部は、
前記情報提供要求で特定される前記ユーザに関連付けられた前記ユーザ端末の識別情報が前記情報提供要求に含まれる場合に、前記情報提供要求を受け付ける
ことを特徴とする請求項２〜４のいずれか１つに記載の情報提供装置。
【請求項６】
請求項２〜５のいずれか１つに記載の情報提供装置と、
複数のユーザ端末と、を備え、
前記複数のユーザ端末の各々は、
前記ユーザを特定する情報を記憶する特定情報記憶部と、
前記ユーザを特定する情報と前記店舗または設備を特定する情報とを含む情報提供要求を前記情報提供装置へ送信する提供情報要求部と、
前記情報提供装置から前記身分証明書情報を取得する身分証明書情報取得部と、
前記身分証明書情報取得部によって取得された身分証明書情報を表示する表示部と、
を備える
ことを特徴とする情報提供システム。
【請求項７】
前記店舗または設備に設置されるサービス提供装置を備え、
前記ユーザ端末は、
前記身分証明書情報に含まれる属性情報を前記サービス提供装置へ通知する属性情報通知部を備え、
前記サービス提供装置は、
前記ユーザ端末から前記属性情報を取得する属性情報取得部と、
前記属性情報取得部によって受信された前記属性情報を表示する表示部と、を備える
ことを特徴とする請求項６に記載の情報提供システム。
【請求項８】
前記店舗または設備に設置されるサービス提供装置を備え、
前記ユーザ端末は、
前記身分証明書情報に含まれる属性情報を前記サービス提供装置へ送信する属性情報送信部を備え、
前記サービス提供装置は、
前記ユーザ端末から前記属性情報を取得する属性情報取得部と、
前記ユーザの属性情報を検出する属性情報検出部と、
前記属性情報取得部で取得された前記属性情報と前記属性情報検出部により検出された前記属性情報とを比較して、前記ユーザ端末から取得される前記属性情報の認証を行う属性情報認証部と、を備える
ことを特徴とする請求項６に記載の情報提供システム。
【請求項９】
実空間の店舗または設備と当該店舗または設備を利用するユーザをそれぞれ特定する情報を含む情報提供要求を受け付ける要求受付手順と、
前記要求受付手順により情報提供要求を受け付けた場合、前記情報提供要求で特定される前記ユーザに対応するユーザ情報のうち、前記情報提供要求で特定される前記店舗または設備に応じたユーザ情報を、通信ネットワーク上のサービスを利用するユーザのユーザ情報を記憶する情報記憶部から取得する情報取得手順と、
前記情報取得手順により取得されたユーザ情報を含む情報を前記情報提供要求に応じた通信装置へ送信する情報送信手順と、
をコンピュータに実行させることを特徴とする情報提供プログラム。
【請求項１０】
コンピュータが実行する情報提供方法であって、
実空間の店舗または設備と当該店舗または設備を利用するユーザをそれぞれ特定する情報を含む情報提供要求を受け付ける要求受付工程と、
前記要求受付工程により情報提供要求を受け付けた場合、前記情報提供要求で特定される前記ユーザに対応するユーザ情報のうち、前記情報提供要求で特定される前記店舗または設備に応じたユーザ情報を、通信ネットワーク上のサービスを利用するユーザのユーザ情報を記憶する情報記憶部から取得する情報取得工程と、
前記情報取得工程により取得されたユーザ情報を含む情報を前記情報提供要求に応じた通信装置へ送信する情報送信工程と、
を有することを特徴とする情報提供方法。
【発明の詳細な説明】
【技術分野】
【０００１】
本発明は、情報提供装置、情報提供システム、情報提供プログラムおよび情報提供方法に関する。
【背景技術】
【０００２】
サービスを提供する実空間の店舗では、店舗のユーザに関する情報を必要とする場合がある。例えば、酒類やタバコを販売する店舗では、２０歳以上であるか否かの年齢を確認するためにユーザは運転免許証などの身分証明書を提示することが要求される。
【０００３】
身分証明書が印刷物で作成されている場合、ユーザは身分証明書を携行しなければならない。そこで、予め身分証明書データを認証センターに登録しておき、ユーザが携帯端末から認証センターにアクセスすることで、発行番号を含む身分証明書データを携帯端末に送信する技術が提案されている（例えば、特許文献１参照）。
【先行技術文献】
【特許文献】
【０００４】
【特許文献１】特開２００３−３３０８８９号公報
【発明の概要】
【発明が解決しようとする課題】
【０００５】
しかし、特許文献１に記載の技術では、身分証明書データを認証センターに予め登録しておかなければならず、登録処理に手間がかかる。このことは、店舗のユーザに関する情報が必要となる他の場合も同様である。
【０００６】
本願は、上記に鑑みてなされたものであって、実空間の店舗または設備を利用するユーザのユーザ情報を容易に提供することができる情報提供装置、情報提供システム、情報提供プログラムおよび情報提供方法を提供することを目的とする。
【課題を解決するための手段】
【０００７】
本願に係る情報提供装置は、情報記憶部と、要求受付部と、情報取得部と、情報送信部とを備える。前記情報記憶部は、通信ネットワーク上のサービスを利用するユーザのユーザ情報を記憶する。前記要求受付部は、実空間の店舗または設備と当該店舗または設備を利用するユーザをそれぞれ特定する情報を含む情報提供要求を受け付ける。前記情報取得部は、前記要求受付部により情報提供要求を受け付けた場合、前記情報提供要求で特定される前記ユーザに対応するユーザ情報のうち、前記情報提供要求で特定される前記店舗または設備に応じたユーザ情報を前記情報記憶部から取得する。前記情報送信部は、前記情報取得部により取得されたユーザ情報を含む情報を前記情報提供要求に応じた通信装置へ送信する。
【発明の効果】
【０００８】
実施形態の一態様によれば、実空間の店舗または設備を利用するユーザのユーザ情報を容易に提供することができる情報提供装置、情報提供システム、情報提供プログラムおよび情報提供方法を提供することができる。
【図面の簡単な説明】
【０００９】
【図１Ａ】図１Ａは、第１の実施形態に係る情報提供処理を行う情報提供システムの構成図である。
【図１Ｂ】図１Ｂは、第１の実施形態に係る情報提供システムによる情報提供処理の一例を示す図である。
【図２】図２は、第１の実施形態に係る情報提供装置の構成例を示す図である。
【図３】図３は、ユーザ情報格納部に記憶されるユーザ情報テーブルの一例を示す図である。
【図４】図４は、提供対象情報格納部に記憶される提供対象情報テーブルの一例を示す図である。
【図５】図５は、ユーザ端末の構成例を示す図である。
【図６】図６は、表示部に表示される情報提示アプリの画面例を示す図である。
【図７】図７は、表示部に表示される身分証明書画面の一例を示す図である。
【図８】図８は、第１の実施形態に係るサービス提供装置の構成例を示す図である。
【図９】図９は、情報提供装置による情報処理フローを説明するための図である。
【図１０】図１０は、ユーザ端末による情報処理フローを説明するための図である。
【図１１】図１１は、第２の実施形態に係る情報処理システムの構成例を示す図である。
【図１２】図１２は、情報提供装置の機能、ユーザ端末の機能またはサービス提供装置の機能を実現するコンピュータの一例を示すハードウェア構成図である。
【発明を実施するための形態】
【００１０】
以下に、本願に係る情報提供装置、情報提供システム、情報提供プログラムおよび情報提供方法のいくつかの実施形態について図面を参照しつつ詳細に説明する。なお、これらの実施形態により本願に係る情報提供装置、情報提供システム、情報提供プログラムおよび情報提供方法が限定されるものではない。
【００１１】
［１．第１の実施形態］
［１．１．情報提供システム］
まず、第１の実施形態に係る情報提供処理について説明する。図１Ａは、第１の実施形態に係る情報提供処理を行う情報提供システムの構成図である。
【００１２】
図１Ａに示すように、情報提供システム１は、情報提供装置２と、ユーザ端末３1〜３n（以下、ユーザ端末３と総称する場合がある）と、サービス提供装置４1〜４n（以下、サービス提供装置４と総称する場合がある）とを備える。サービス提供装置４1〜４nのそれぞれは、複数の店舗または設備のそれぞれに設置される。
【００１３】
かかる店舗や設備には、例えば、小売店、飲食店、美容院・理容院、病院、ホテル、複合レジャー施設などのほか、コンサートやスポーツなどが行われるイベント会場などがあり、また、例えば、レジャー施設のアトラクション設備や移動販売車などの設備も含まれる。以下、店舗および設備を総称して店舗と記載する。
【００１４】
情報提供装置２、ユーザ端末３1〜３nおよびサービス提供装置４1〜４nは、通信ネットワーク５を介して互いに通信が可能である。通信ネットワーク５は、例えば、インターネットなどのＩＰ（Internet  Protocol）ネットワークである。
【００１５】
情報提供装置２は、通信ネットワーク５上のサービスを利用するユーザのユーザ情報を記憶する情報記憶部を備える。通信ネットワーク５上のサービスとして、例えば、オンラインショッピング、オンラインバンキング、メール、ネットオークションなどがある。
【００１６】
情報提供装置２は、ユーザ端末３からの要求に応じて、情報記憶部に記憶されたユーザ情報を実空間の店舗で利用されるユーザ情報としてユーザ端末３へ提供することができる。ユーザ情報は、例えば、ユーザの氏名、性別、年齢、住所、生体属性、嗜好品などの情報である。また、情報提供装置２が提供するユーザ情報として、例えば、身分証明書情報や会員カード用情報などがある。
【００１７】
サービス提供装置４は、実空間の店舗に設置される。かかるサービス提供装置４は、店舗内で提供されるサービスに付随する処理を行う。例えば、サービス提供装置４は、身分確認処理や会員登録処理を実行することができる。かかるサービス提供装置４は、情報提供装置２から提供されるユーザ情報をユーザ端末３経由で取得することができる。
【００１８】
ユーザ端末３は、例えば、無線通信を行うことができる無線端末であり、スマートフォン、ＰＣ（Personal  Computer）またはタブレット端末である。かかるユーザ端末３には、情報提示アプリケーション（以下、情報提示アプリと記載する）のプログラムがインストールされており、かかる情報提示アプリによって、ユーザ端末３の下記処理が実行される。
【００１９】
図１Ｂは、情報提供システム１による情報提供処理の一例を示す図である。図１Ｂに示すように、ユーザ端末３の制御部は、情報提供装置２との間で認証処理を行う（ステップＳ１）。
【００２０】
かかる認証処理は、ユーザ端末３のユーザ（以下、端末ユーザと記載する）の識別情報をユーザ端末３から送信することによって行われる。端末ユーザの識別情報は、例えば、端末ユーザが登録している通信ネットワーク５上のサービスのアカウントであり、例えば、ユーザＩＤおよびパスワードが含まれる。
【００２１】
認証処理が終了すると、ユーザ端末３の制御部は、情報提供装置２に対して情報提供要求を送信する（ステップＳ２）。かかる情報提供要求は、端末ユーザによってユーザ端末３の操作部へ所定操作が行われた場合や、サービス提供装置４からの無線信号を受信した場合に行われる。
【００２２】
情報提供装置２の制御部は、ユーザ端末３からの情報提供要求を受信すると、かかる情報提供要求に応じたユーザ情報を情報記憶部から取得する（ステップＳ３）。例えば、情報提供要求が身分証明書情報の要求である場合、情報提供装置２の制御部は、端末ユーザのユーザ情報のうち、身分証明書に必要な情報を取得し、取得した情報に基づいて身分証明書情報を生成する。
【００２３】
身分証明書情報には、例えば、端末ユーザの氏名、年齢、性別、住所、顔画像などの情報と、証明書識別番号などが含まれる。また、例えば、情報提供装置２の制御部は、情報提供要求が会員カード用情報の要求である場合、端末ユーザのユーザ情報のうち、会員カードに必要な情報（例えば、氏名、年齢、性別、住所）を取得する。
【００２４】
情報提供装置２の制御部は、情報記憶部から取得したユーザ情報に基づいてユーザ端末３に対して情報提供を行う（ステップＳ４）。例えば、情報提供要求が身分証明書情報の要求である場合、情報提供装置２の制御部は、生成した身分証明書情報をユーザ端末３へ送信する。また、例えば、情報提供要求が会員カード用情報の要求である場合、情報提供装置２の制御部は、会員カードに必要な情報をユーザ端末３へ送信する。
【００２５】
ユーザ端末３の制御部は、情報提供装置２から提供される情報を取得する（ステップＳ５）。例えば、情報提供装置２から提供される情報が身分証明書情報の場合、ユーザ端末３の制御部は、ユーザ端末３の表示部に身分証明書情報を表示する。
【００２６】
また、ユーザ端末３の制御部は、情報提供装置２から提供される情報の少なくとも一部をサービス提供装置４へ送信する（ステップＳ６）。ユーザ端末３は、例えば、近距離無線通信を行う通信部を有しており、サービス提供装置４への送信は、通信部を介して行われる。
【００２７】
例えば、情報提供装置２から提供される情報が身分証明書情報の場合、ユーザ端末３の制御部は、身分証明書情報に含まれる属性情報（例えば、顔画像の情報）をサービス提供装置４へ送信する。また、情報提供装置２から提供される情報が会員カード用情報の場合、会員カード用情報に含まれる属性情報（例えば、氏名、年齢、性別、住所）をサービス提供装置４へ送信する。
【００２８】
サービス提供装置４の制御部は、ユーザ端末３から情報を受信すると、受信した情報に基づいた処理を行う（ステップＳ７）。例えば、ユーザ端末３から送信される情報が身分証明書情報に含まれる属性情報である場合、サービス提供装置４の制御部は、属性情報の認証を行う。属性情報の認証は、例えば、サービス提供装置４の撮像部によって撮像された端末ユーザの顔画像とユーザ端末３から受信した顔画像とを比較することによって行われる。
【００２９】
また、ユーザ端末３から送信される情報が会員カード用情報に含まれる属性情報である場合、サービス提供装置４の制御部は、受信した属性情報に基づいて端末ユーザの会員登録処理を行う。
【００３０】
サービス提供装置４の制御部は、ステップＳ７で行った処理の結果をユーザ端末３へ送信する（ステップＳ８）。例えば、サービス提供装置４の制御部は、身分確認が終了したことを示す情報や会員カードの情報などをユーザ端末３へ送信する。
【００３１】
このように、第１の実施形態に係る情報提供システム１では、通信ネットワーク５上のサービスを利用するユーザのユーザ情報を記憶する情報提供装置２から、実空間の店舗を利用するユーザのユーザ情報を提供することができる。
【００３２】
そのため、端末ユーザは、実空間の店舗においてユーザ情報を容易に取得することができる。例えば、端末ユーザは、身分証明書を忘れた場合であっても、認証センターへの身分証明書データの事前登録などを行うことなく、身分証明書情報を取得することができる。また、端末ユーザは、店舗の会員サービスへ登録する際に、ユーザ情報の記入などの手間を省くことができる。そのため、端末ユーザの負担を軽減することができ、店舗での取引を円滑に行うことができ、店舗での取引促進を図ることが可能となる。
【００３３】
以下、情報提供システム１を構成する情報提供装置２、ユーザ端末３およびサービス提供装置４の具体的構成および具体的処理の一例について図面を参照して説明する。
【００３４】
［１．２．情報提供装置２］
図２は、実施形態に係る情報提供装置２の構成例を示す図である。図２に示すように、情報提供装置２は、通信部２０と、記憶部２１と、制御部２２とを備える。通信部２０は、通信ネットワーク５に接続された装置と制御部２２との間で通信を行うための通信インターフェイスであり、例えば、ＴＣＰ／ＩＰやＵＤＰなどのプロトコルによる通信を行う。制御部２２は、通信部２０を介して通信ネットワーク５に接続された装置との間の通信を行う。
【００３５】
記憶部２１は、ユーザ情報格納部３１および提供対象情報格納部３２を有する。記憶部２１は、例えば、ハードディスク、ＲＡＭ、フラッシュメモリ等の半導体メモリ、ハードディスク、光ディスク等の記憶装置である。ユーザ情報格納部３１には、ユーザ情報テーブルが記憶され、提供対象情報格納部３２には提供対象情報テーブルが記憶される。
【００３６】
制御部２２は、例えば、ＡＳＩＣ（Application  Specific  Integrated  Circuit）やＦＰＧＡ（Field  Programmable  Gate  Array）等の集積回路により実現される。また、制御部２２は、例えば、ＣＰＵ（Central  Processing  Unit）やＭＰＵ（Micro  Processing  Unit）等によって、記憶部２１に記憶されているプログラムが図示しない内部ＲＡＭを作業領域として実行されることにより後述する情報処理の機能や作用を実現または実行する。
【００３７】
具体的には、制御部２２は、記憶部２１に記憶される情報提供プログラムを実行することによって、アカウント管理部３３、アカウント認証部３４、要求受付部３５、情報取得部３６、情報生成部３７および情報送信部３８として機能する。なお、制御部２２の構成は、かかる構成に限られず、後述する情報処理を行う構成であれば他の構成であってもよい。
【００３８】
以下、アカウント管理部３３、アカウント認証部３４、要求受付部３５、情報取得部３６、情報生成部３７および情報送信部３８についてユーザ情報格納部３１および提供対象情報格納部３２を説明しつつ、具体的に説明する。
【００３９】
［１．２．１．アカウント管理部３３］
アカウント管理部３３は、ユーザ端末３から送信されるユーザ登録要求を受け付け、かかるユーザ登録要求に含まれる情報をユーザ情報テーブルに設定する。また、アカウント管理部３３は、ユーザ端末３から送信される情報提示アプリ登録要求を受け付け、かかる情報提示アプリ登録要求に含まれるユーザ端末３の識別情報をユーザ情報テーブルに設定する。
【００４０】
ユーザ登録要求は、例えば、端末ユーザの氏名、年齢、性別、住所、顔画像などのユーザ情報やユーザ端末３の識別情報などが含まれる。端末ユーザは、例えば、通信ネットワーク５上のサービス（例えば、オンラインショッピングやオンラインバンク）を利用する場合に、ユーザ端末３を用いて情報提供装置２にユーザ登録を行う。
【００４１】
図３は、ユーザ情報格納部３１に記憶されるユーザ情報テーブルの一例を示す図である。図３に示すように、ユーザ情報テーブルは、「ユーザＩＤ」毎に、「パスワード」、「属性情報」および「登録端末」が対応付けられた情報である。
【００４２】
「ユーザＩＤ」は、端末ユーザ毎に割り当てられる固有のＩＤである。「パスワード」は認証用の情報であり、端末ユーザまたはアカウント管理部３３によって割り当てられる。「ユーザＩＤ」および「パスワード」は、通信ネットワーク５上のサービスのアカウントであり、端末ユーザは、「ユーザＩＤ」および「パスワード」を含む認証要求をユーザ端末３から情報提供装置２へ送信させることで通信ネットワーク５上のサービスを利用できる。
【００４３】
「属性情報」は、ユーザ端末３のユーザ属性を示す情報であり、「デモグラフィック属性」の情報と、「生体属性」の情報と、「サイコグラフィック属性」の情報とを含む。
【００４４】
「デモグラフィック属性」は、人口統計学的な属性であり、端末ユーザの「性別」、「年齢」、「名前」、「住所」などに区分分けされる。図３に示す例では、端末ユーザの性別、年齢、名前、住所を一例として記載しているが、端末ユーザの職業、家族構成、年収、学歴など様々な区分種別を「デモグラフィック属性」とすることができる。
【００４５】
「生体属性」は、端末ユーザの生体情報であり、例えば、端末ユーザの顔、指紋、虹彩、声紋などの端末ユーザの身体的特徴を示す情報である。かかる「生体属性」は、「ユーザＩＤ」および「パスワード」に代えて、通信ネットワーク５上のサービスのアカウントとして用いることができる。なお、生体属性は、例えば、端末ユーザの身長、体重、髪型、手の形、ほくろの位置、鼻の形、眼の形、耳の形、爪の形、ひげの形などの情報であってもよい。
【００４６】
「サイコグラフィック属性」は、ユーザの価値観、ライフスタイル、性格、嗜好などを示す情報である。ここでは、「サイコグラフィック属性」として、図３に示すように、「パソコン」、「ケーキ」などに区分分けされる。図３に示す例では、区分毎に、ユーザの嗜好が相対的に高い場合に「１」が対応付けられ、それ以外の場合には「０」が対応付けられる。なお、「サイコグラフィック属性」は、端末ユーザが通信ネットワーク５上のサービスを利用した履歴に基づいて、情報提供装置２の制御部２２によって設定することもできる。
【００４７】
「登録端末」は、ユーザ端末３の識別情報であり、例えば、ユーザ端末３の個体識別番号（例えば、製造番号）やユーザ端末３のＭＡＣアドレス（Media  Access  Control  address）である。かかる「登録端末」は、情報提示アプリ登録要求に含まれるユーザ端末３の識別情報（以下、端末識別情報と記載する場合がある）であり、アカウント管理部３３によって設定される。なお、端末識別情報は、可変な識別情報であってもよい。
【００４８】
また、アカウント管理部３３は、ユーザ端末３から情報提示アプリ登録要求を受け付けると、情報提供アプリ登録要求に含まれるユーザＩＤおよびパスワードが、ユーザ情報テーブルに設定されているか否かを判定する。
【００４９】
情報提供アプリ登録要求に含まれるユーザＩＤおよびパスワードが、ユーザ情報テーブルに設定されている場合、アカウント管理部３３は、ユーザ端末３に対して登録受付応答を送信する。一方、ユーザＩＤおよびパスワードが、ユーザ情報テーブルに設定されていない場合、アカウント管理部３３は、ユーザ端末３に対して登録許否応答を送信する。
【００５０】
［１．２．２．アカウント認証部３４］
アカウント認証部３４は、ユーザ端末３から送信される認証要求を受け付け、かかる認証要求に含まれる端末ユーザの識別情報に基づいて、端末ユーザの認証処理を行う。端末ユーザの識別情報は、ユーザＩＤおよびパスワードであるが、その他のユーザ認証情報であってもよい。
【００５１】
例えば、アカウント認証部３４は、認証要求に含まれる端末ユーザの識別情報がユーザ情報テーブルに設定されている情報と一致する場合に、端末ユーザの認証ができたと判定し、ユーザ端末３にアクセス許可応答を送信する。これにより、ユーザ端末３は、情報提供装置２によるサービス提供（例えば、オンラインショッピングサービス）や情報提供を受けることができる状態になる。
【００５２】
一方、認証要求に含まれる端末ユーザの識別情報がユーザ情報テーブルに設定されている情報と一致しない場合には、端末ユーザの認証ができないと判定し、ユーザ端末３にアクセス許否応答を送信する。
【００５３】
［１．２．３．要求受付部３５］
要求受付部３５は、アカウント認証部３４により認証済みのユーザ端末３から送信される情報提供要求を受け付ける。ユーザ端末３から送信される情報提供要求は、例えば、身分証明書情報の要求や会員カード用情報の要求である。
【００５４】
かかる情報提供要求には、実空間の店舗を利用する端末ユーザを特定する情報が含まれる。端末ユーザを特定する情報は、記憶部２１に記憶された情報であり、例えば、ユーザＩＤやＨＴＴＰ（HyperText  Transfer  Protocol）クッキーなどの情報であるが、端末ユーザを特定する情報であれば他の情報であってもよい。ユーザ情報テーブルにおいて、アカウント認証部３４により認証済みであって情報提供要求を送信したユーザ端末３の端末ユーザの識別情報に対応付けて「登録端末」が設定されているとする。この場合、要求受付部３５は、ユーザ端末３の識別情報がユーザ情報テーブルの「登録端末」に設定された情報と同じであれば、情報提供要求を受け付ける。
【００５５】
また、情報提供要求には、実空間の店舗を特定する情報が含まれる。店舗を特定する情報は、例えば、店舗の識別情報であり、以下においては、店舗を特定する情報が店舗ＩＤであるものとして説明する。なお、店舗を特定する情報は、店舗を特定できる情報であればよく、店舗の識別情報以外の情報であってもよい。
【００５６】
［１．２．４．情報取得部３６］
情報取得部３６は、要求受付部３５により受け付けた情報提供要求に応じたユーザ情報をユーザ情報格納部３１から取得する。具体的には、情報取得部３６は、情報提供要求で特定されるユーザに応じたユーザ情報のうち、情報提供要求で特定される店舗に応じたユーザ情報をユーザ情報格納部３１から取得する。
【００５７】
情報取得部３６は、例えば、情報提供要求が身分証明書情報の要求である場合、端末ユーザのユーザ情報のうち、要求に係る身分証明書に必要な情報を取得する。また、情報取得部３６は、例えば、情報提供要求が会員カード用情報の要求である場合、端末ユーザのユーザ情報のうち、会員カードに必要な情報を取得する。
【００５８】
情報取得部３６は、例えば、提供対象情報テーブルに記憶された情報に基づいて情報提供要求で特定されるユーザに応じたユーザ情報をユーザ情報格納部３１から取得する。図４は、提供対象情報格納部３２に記憶される提供対象情報テーブルの一例を示す図である。
【００５９】
図４に示すように、提供対象情報テーブルは、「店舗ＩＤ」、「提供種別」および「提供情報」が互いに対応付けられた情報である。「店舗ＩＤ」は、店舗に割り当てられる固有の情報である。
【００６０】
「提供種別」は、情報提供装置２によりユーザ端末３へ提供する情報提供の種別を示す。図４に示す例では、「提供種別」として、身分証明書または会員カード用情報が設定されるが、「提供種別」は、これらの情報に限られない。
【００６１】
「提供情報」は、要求受付部３５により受け付けた情報提供要求に対して提供するユーザ情報（以下、提供ユーザ情報と記載する場合がある）の内容を特定する情報である。提供ユーザ情報は、情報提供要求に対して提供するユーザ属性の情報である。図４に示す例では、区分毎に、提供ユーザ情報である場合に「１」が対応付けられ、提供ユーザ情報でない場合には「０」が対応付けられる。
【００６２】
「提供形式」は、要求受付部３５により受け付けた情報提供要求に対して提供する情報（以下、提供情報と記載する場合がある）の形式を示す情報である。かかる「提供形式」に基づいた形式で提供情報が生成される。
【００６３】
情報取得部３６は、情報提供要求で特定される店舗および提供種別に対応付けられた提供ユーザ情報を提供対象情報テーブルから取得する。例えば、提供対象情報テーブルが図４に示す状態であり、かつ、提供情報要求が店舗ＩＤ「Ｌ００１」の店舗および提供種別「身分証明書」を特定するものであるとする。
【００６４】
この場合、情報取得部３６は、提供情報要求で特定される端末ユーザのユーザ情報のうち、性別、年齢、氏名、住所、顔などの属性情報をユーザ情報テーブルから取得する。なお、本実施形態において、顔の属性情報は、顔画像であるものとして説明するが、顔の特徴を示す情報であってもよい。
【００６５】
また、提供対象情報テーブルが図４に示す状態であり、かつ、提供情報要求が店舗ＩＤ「Ｌ００１」の店舗および提供種別「会員カード用情報」を特定するものであるとする。この場合、情報取得部３６は、提供情報要求で特定される端末ユーザのユーザ情報のうち、性別、年齢、氏名、住所などのデモグラフィック属性の情報および「１」が設定されたサイコグラフィック属性の情報をユーザ情報テーブルから取得する。
【００６６】
なお、提供ユーザ情報をユーザ情報テーブルから取得する方法は、上述の例に限定されない。例えば、提供情報要求で提供ユーザ情報が特定される場合には、提供情報要求で特定される情報に基づいて提供ユーザ情報をユーザ情報テーブルから取得することもできる。
【００６７】
［１．２．５．情報生成部３７］
情報生成部３７は、情報取得部３６により取得されたユーザ情報を含む提供情報を生成する。かかる情報生成部３７は、例えば、提供対象情報テーブルに設定された「提供形式」に基づく形式の提供情報を生成する。
【００６８】
例えば、提供対象情報テーブルが図４に示す状態であり、かつ、提供情報要求が店舗ＩＤ「Ｌ００１」の店舗および提供種別「身分証明書」を特定するものであるとする。この場合、情報生成部３７は、提供形式「２」に対応する形式で提供情報を生成する。
【００６９】
提供形式「２」は、身分証明書の表示形式である第１の形式であり、端末ユーザの顔画像を特定属性情報とする形式である。第１の形式で生成される身分証明書は、端末ユーザの氏名、住所、年齢、性別と、証明書発行元、証明書発行先、証明書識別番号などの発行情報とを含む。特定属性情報は、例えば、ユーザ端末３からサービス提供装置４へ送信される情報である。
【００７０】
また、提供対象情報テーブルが図４に示す状態であり、かつ、提供情報要求が店舗ＩＤ「Ｌ００２」の店舗および提供種別「身分証明書」を特定するものであるとする。この場合、情報生成部３７は、提供形式「３」に対応する形式で提供情報を生成する。
【００７１】
提供形式「３」は、身分証明書の表示形式である第２の形式であり、端末ユーザの指紋情報を特定属性情報とする形式である。第２の形式で生成される身分証明書は、端末ユーザの氏名、住所と、証明書発行元、証明書発行先、証明書識別番号などの発行情報とを含む。
【００７２】
また、提供対象情報テーブルが図４に示す状態であり、かつ、提供情報要求が店舗ＩＤ「Ｌ００１」の店舗および提供種別「会員カード用情報」を特定するものであるとする。この場合、情報生成部３７は、提供形式「１」に対応する形式で提供情報を生成する。
【００７３】
提供形式「１」は、端末ユーザの氏名、住所、年齢、性別の情報と、「１」が設定されたサイコグラフィック属性の情報とを特定属性情報とする形式である。かかる提供形式「１」には、ユーザ端末３に表示する情報は含まない。
【００７４】
また、情報生成部３７は、ユーザ情報テーブルに「登録端末」の情報が設定されている場合、提供情報にユーザ端末３の識別情報を含ませる。
【００７５】
情報生成部３７は、例えば、生成した提供情報から電子署名の情報を生成し、かかる電子署名の情報と電子証明書の情報とを提供情報に含める。具体的には、情報生成部３７は、生成した提供情報のハッシュ値を演算し、かかるハッシュ値を公開鍵暗号方式の秘密鍵で暗号化することにより電子署名の情報を生成する。なお、情報生成部３７は、暗号化は共通鍵暗号方式でハッシュ値を暗号化した電子署名を生成し、かかる電子署名の情報と電子証明書の情報とを提供情報に含めることもできる。
【００７６】
また、情報生成部３７は、特定属性情報を秘密鍵や共通鍵で暗号化することもでき、また、生成した提供情報そのものを暗号化することもできる。
【００７７】
［１．２．６．情報送信部３８］
情報送信部３８は、情報生成部３７によって生成された提供情報を情報提供要求の送信元のユーザ端末３へ送信する。ユーザ端末３へ送信される提供情報には電子署名が含まれる。なお、提供情報は、情報生成部３７により暗号化される場合もある。
【００７８】
［１．３．ユーザ端末３］
図５は、ユーザ端末３の構成例を示す図である。図５に示すように、ユーザ端末３は、通信部４０と、表示部４１と、操作部４２と、通信部４３と、記憶部４４と、制御部４５とを備える。
【００７９】
通信部４０は、通信ネットワーク５に接続された装置と制御部４５との間で通信を行うための通信インターフェイスであり、例えば、ＴＣＰ／ＩＰやＵＤＰなどのプロトコルによる通信を行う。制御部４５は、通信部４０を介して通信ネットワーク５に接続された装置との間の通信を行う。
【００８０】
表示部４１は、例えば、タッチパネル式のディスプレイである。端末ユーザは、表示部４１の画面上を指などで操作することで、表示部４１に表示された情報提示アプリの操作画面に対する操作が可能である。かかる表示部４１は、例えば、ＬＣＤ（Liquid  Crystal  Display）や有機ＥＬディスプレイである。
【００８１】
操作部４２は、文字、数字およびスペースを入力するためのキー、エンターキーおよび矢印キーなどを含むキーボードや電源ボタンなどである。
【００８２】
通信部４３は、例えば、Ｆｅｌｉｃａ、ＩＳＯ／ＩＥＣ１４４４３（ＭＩＦＡＲＥ）、Ｂｌｕｅｔｏｏｔｈ（登録商標）などの通信方式を採用した装置である。通信部４３による通信は、電波に限定されるものではなく、例えば、赤外線通信、可視光通信、音波などを用いることもできる。また、通信部４３は、サービス提供装置４との間で通信することができるものであればよく、通信部４３による通信は、例えば、無線ＬＡＮ通信やその他の通信であってもよい。また、通信部４３をユーザ端末３に設けないこともでき、この場合、ユーザ端末３は、通信部４０によりサービス提供装置４との間で通信を行う。
【００８３】
記憶部４４は、例えば、ハードディスク、ＲＡＭ、フラッシュメモリ等の半導体メモリ、ハードディスク、光ディスク等の記憶装置である。かかる記憶部４４は、設定情報格納部５１と提供情報格納部５２とを備える。
【００８４】
制御部４５は、例えば、ＡＳＩＣやＦＰＧＡ等の集積回路により実現される。また、制御部４５は、例えば、ＣＰＵやＭＰＵ等によって、記憶部４４に記憶されているプログラムが図示しない内部ＲＡＭを作業領域として実行されることにより後述する情報処理の機能や作用を実現または実行する。
【００８５】
具体的には、制御部４５は、記憶部４４に記憶される情報提示アプリのプログラムを実行することによって、表示制御部５３、認証処理部５４、提供情報要求部５５、提供情報取得部５６、提供情報検証部５７および属性情報通知部５８として機能する。なお、制御部４５の構成は、かかる構成に限られず、後述する情報処理を行う構成であれば他の構成であってもよい。情報提示アプリのプログラムは、例えば、制御部４５が情報提供装置２などの外部装置から取得し、記憶部４４に記憶する。
【００８６】
以下、表示制御部５３、認証処理部５４、提供情報要求部５５、提供情報取得部５６、提供情報検証部５７および属性情報通知部５８について設定情報格納部５１と提供情報格納部５２を説明しつつ、具体的に説明する。なお、端末ユーザが表示部４１のタッチパネルや操作部４２等を操作することをユーザ操作と記載する。
【００８７】
［１．３．１．表示制御部５３］
表示制御部５３は、記憶部４４の設定情報格納部５１に記憶された設定データやレイアウトデータに基づいて、情報提示アプリのプログラムの表示画像を生成し、表示部４１に表示する。設定データには、例えば、表示画面を生成するための画像データや各種のＩＤ情報が含まれる。ＩＤ情報は、例えば、端末ユーザが利用する店舗に対応する店舗ＩＤである。
【００８８】
図６（ａ）は、表示部４１に表示される情報提示アプリの初期設定画面の一例を示す図である。図６（ａ）に示すように、初期設定画面７０は、アカウント入力設定領域７１と、情報提供条件設定領域７２とを有する。かかるアカウント入力設定領域７１において、ユーザ操作によりユーザＩＤおよびパスワードを入力することができる。かかるユーザＩＤおよびパスワードは、通信ネットワーク５上で提供されるサービスのアカウントであり、上述の様に情報提供装置２で管理される情報である。
【００８９】
また、情報提供条件設定領域７２において、ユーザ操作により、情報提供対象を設定することができる。図６（ａ）に示す例では、自装置（ユーザ端末３）のみに情報提供を許可するか否かの条件が選択できる。端末ユーザは、チェックボックスに対するユーザ操作によって、ユーザ端末３のみに情報提供を許可する設定か、他のユーザ端末３にも情報提供を許可可能とする設定かを選択することができる。
【００９０】
図６（ｂ）は、表示部４１に表示される情報提示アプリの店舗リスト表示画面の一例を示す図である。図６（ｂ）に示すように、店舗リスト表示画面７４には、「ＸＸＸ書店（会員登録）」、「ＸＸＸ居酒屋（会員登録）」および「ＸＸＸ居酒屋（身分証明書）」のそれぞれに対する選択ボタン７５〜７７が表示される。ユーザは、選択ボタン７５〜７７のいずれかを選択することで、情報提供装置２からの提供情報を取得することができる。
【００９１】
図７は、表示部４１に表示される身分証明書画面の一例を示す図である。図７に示すように、身分証明書画面７８においては、端末ユーザの氏名、住所、年齢、性別を示す情報と、発行情報と、端末ユーザの顔画像が表示される。なお、端末ユーザの顔画像に代えて、または、加えて、例えば、端末ユーザの身長、体重、髪型などの他の身体的特徴を示す情報を身分証明書画面７８に表示することもできる。
【００９２】
発行情報には、証明書発行元、証明書発行先、証明書発行時刻、証明書有効期限および証明書識別情報などが含まれる。
【００９３】
［１．３．２．認証処理部５４］
認証処理部５４は、初期設定画面７０（図６（ａ）参照）に対する入力や選択が行われた後に、ユーザ操作により登録ボタン７３（図６（ａ）参照）が選択された場合、ユーザ設定情報を含む情報提示アプリ登録要求を情報提供装置２へ送信する。ユーザ設定情報は、初期設定画面７０においてユーザ操作によって入力された情報や選択された情報である。
【００９４】
認証処理部５４は、情報提供装置２から登録受付応答を受信すると、ユーザ設定情報を設定データとして設定情報格納部５１に記憶する。一方、認証処理部５４は、情報提供装置２から登録許否応答を受信すると、設定データの設定は行わず、表示制御部５３によりエラー画面が表示部４１に表示される。
【００９５】
また、認証処理部５４は、ユーザ設定情報が設定データとして設定情報格納部５１に記憶されている状態で、選択ボタン７５〜７７のいずれかが選択された場合、情報提供装置２に対して端末ユーザの識別情報を含む認証要求を行う。端末ユーザの識別情報は、ユーザＩＤおよびパスワードであるが、その他のユーザ認証情報であってもよい。
【００９６】
［１．３．３．提供情報要求部５５］
提供情報要求部５５は、認証処理部５４が情報提供装置２からアクセス許可応答を受信した場合、選択ボタン７５〜７７のうち選択されたボタンに対応する店舗ＩＤを設定情報格納部５１から取得し、取得した店舗ＩＤや端末識別情報を含む情報提供要求を情報提供装置２に送信する。
【００９７】
例えば、「ＸＸＸ居酒屋」の店舗ＩＤが「Ｌ００１」であり、かつ、選択ボタン７６がユーザ操作により選択された場合、提供情報要求部５５は、店舗ＩＤ「Ｌ００１」の情報を含む会員カード用情報の要求を情報提供装置２に送信する。
【００９８】
また、「ＸＸＸ居酒屋」の店舗ＩＤが「Ｌ００１」であり、かつ、選択ボタン７７がユーザ操作により選択された場合、提供情報要求部５５は、店舗ＩＤ「Ｌ００１」の情報を含む身分証明書情報の要求を情報提供装置２に送信する。
【００９９】
［１．３．４．提供情報取得部５６］
提供情報取得部５６は、情報提供装置２からユーザ端末３に送信される提供情報を取得し、提供情報格納部５２に記憶する。例えば、提供情報要求部５５から行った情報提供要求が会員カード用情報の要求である場合、提供情報取得部５６は、会員カード用情報を情報提供装置２から取得する。また、提供情報要求部５５から行った情報提供要求が身分証明書情報の要求である場合、提供情報取得部５６は、身分証明書情報を情報提供装置２から取得する。
【０１００】
［１．３．５．提供情報検証部５７］
提供情報検証部５７は、提供情報取得部５６により取得された提供情報の正当性を検証する。提供情報検証部５７は、例えば、提供情報に含まれる電子署名の情報を公開鍵により復号化した情報と、電子署名の情報や電子証明書を除く提供情報をハッシュ関数によりハッシュした結果とを比較することにより、提供情報の正当性を検証する。なお、提供情報検証部５７は、提供情報全体が暗号化されている場合には、暗号鍵（公開鍵や共通鍵）によって提供情報を復号化する。
【０１０１】
提供情報検証部５７は、提供情報が正当であると判定すると、選択された選択ボタンに対応する店舗の店舗ＩＤに対応付けて提供情報を提供情報格納部５２に格納する。提供情報格納部５２に記憶される提供情報が身分証明書情報である場合、表示制御部５３は、提供情報格納部５２に記憶された身分証明書情報を表示部４１に表示する。これにより、端末ユーザは、選択した選択ボタンに対応する店舗の店員等に対して端末ユーザの身分証明書情報を提示することができる。
【０１０２】
また、提供情報検証部５７は、提供情報取得部５６により取得された提供情報に端末識別情報が含まれる場合、かかる端末識別情報が自装置（ユーザ端末３）の識別情報であるか否かを判定する。提供情報検証部５７は、端末識別情報が自装置の識別情報であると判定すると、提供情報が正当であると判定し、身分証明書情報を提供情報格納部５２に格納する。
【０１０３】
一方、提供情報検証部５７は、端末識別情報が自装置の識別情報ではないと判定すると、提供情報が正当ではないと判定し、表示制御部５３に対し、表示部４１に身分証明書情報を表示できない旨の情報を表示させる。この場合、提供情報検証部５７は、身分証明書情報を提供情報格納部５２には格納しない。
【０１０４】
なお、イントラネットなどのようにセキュリティが何らかの手段によって担保されているなどの所定の環境や状況下においては、提供情報検証部５７は、提供情報の正当性を検証しないこともできる。
【０１０５】
［１．３．６．属性情報通知部５８］
属性情報通知部５８は、サービス提供装置４から送信される特定属性情報要求を通信部４３経由で受信すると、提供情報格納部５２に記憶した提供情報の中から、特定属性情報要求に含まれる店舗ＩＤに対応する特定属性情報を取得する。属性情報通知部５８は、通信部４３を介し、提供情報格納部５２から取得した特定属性情報をサービス提供装置４へ送信する。
【０１０６】
属性情報通知部５８は、特定属性情報の送信に対してサービス提供装置４から送信される情報を通信部４３経由で取得する。属性情報通知部５８は、例えば、身分証明書情報に含まれる特定属性情報の送信に対してサービス提供装置４から送信される身分確認が終了したことを示す情報を通信部４３経由で取得する。この場合、表示制御部５３は、身分確認が終了したことを示す情報を表示部４１に表示する。
【０１０７】
また、属性情報通知部５８は、例えば、会員カード用情報に含まれる特定属性情報の送信に対してサービス提供装置４から送信される会員カード情報を通信部４３経由で取得し、提供情報格納部５２に記憶する。表示制御部５３は、ユーザ操作により提供情報格納部５２に記憶した会員カード情報を表示部４１に表示することができる。
【０１０８】
［１．４．サービス提供装置４］
図８は、実施形態に係るサービス提供装置４の構成例を示す図である。図８に示すように、サービス提供装置４は、通信部８０と、属性情報検出部８１と、通信部８２と、表示部８３と、記憶部８４と、制御部８５とを備える。
【０１０９】
通信部８０は、通信ネットワーク５に接続された装置と制御部８５との間で通信を行うための通信インターフェイスであり、例えば、ＴＣＰ／ＩＰやＵＤＰなどのプロトコルによる通信を行う。制御部８５は、通信部８０を介して通信ネットワーク５に接続された装置との間の通信を行う。
【０１１０】
属性情報検出部８１は、撮像部および音声入力部を備える。属性情報検出部８１は、例えば、端末ユーザの顔、指紋および虹彩を撮像部により撮像して顔画像、指紋画像および虹彩画像を検出属性情報として出力する。また、属性情報検出部８１は、音声入力部により端末ユーザの音声情報を取得し、音声情報に含まれる声紋情報を検出属性情報として出力する。なお、属性情報検出部８１による検出対象は、画像・音声などに限定されず、他の情報であってもよい。
【０１１１】
通信部８２は、例えば、Ｆｅｌｉｃａ、ＩＳＯ／ＩＥＣ１４４４３、Ｂｌｕｅｔｏｏｔｈ（登録商標）などの通信方式を採用した装置であり、ユーザ端末３の通信部４３との間で通信を行うことができる。通信部８２による通信は、電波に限定されるものではなく、例えば、赤外線通信、可視光通信、音波などを用いることもできる。また、通信部４３による通信は、例えば、無線ＬＡＮ通信やその他の通信であってもよい。表示部８３は、例えば、ＬＣＤや有機ＥＬディスプレイである。
【０１１２】
記憶部８４は、会員情報格納部９１を有する。記憶部８４は、例えば、ハードディスク、ＲＡＭ、フラッシュメモリ等の半導体メモリ、ハードディスク、光ディスク等の記憶装置である。
【０１１３】
制御部８５は、例えば、ＡＳＩＣやＦＰＧＡ等の集積回路により実現される。また、制御部８５は、例えば、ＣＰＵやＭＰＵ等によって、記憶部８４に記憶されているプログラムが図示しない内部ＲＡＭを作業領域として実行されることにより後述する情報処理の機能や作用を実現または実行する。
【０１１４】
具体的には、制御部８５は、記憶部８４に記憶されるサービス提供プログラムを実行することによって、特定属性情報要求部９２、特定属性情報取得部９３、属性情報検証部９４および情報処理部９５として機能する。なお、制御部８５の構成は、かかる構成に限られず、後述する情報処理を行う構成であれば他の構成であってもよい。
【０１１５】
以下、特定属性情報要求部９２、特定属性情報取得部９３、属性情報検証部９４および情報処理部９５について会員情報格納部９１を説明しつつ、具体的に説明する。
【０１１６】
［１．４．１．特定属性情報要求部９２］
特定属性情報要求部９２は、ユーザ端末３を検出すると、通信部８２経由で特定属性情報要求をユーザ端末３に送信する。特定属性情報要求には自装置（サービス提供装置４）が設置された店舗に対応する店舗ＩＤが含まれる。
【０１１７】
［１．４．２．特定属性情報取得部９３］
特定属性情報取得部９３は、通信部８２経由でユーザ端末３から送信される特定属性情報を取得する。
【０１１８】
［１．４．３．属性情報検証部９４］
属性情報検証部９４は、特定属性情報取得部９３により取得される特定属性情報が身分証明書情報に含まれる特定属性情報である場合、かかる特定属性情報の正当性を検証する。
【０１１９】
具体的には、属性情報検証部９４は、特定属性情報取得部９３により取得される特定属性情報と属性情報検出部８１から出力される検出属性情報とを比較することにより、ユーザ端末３から送信された特定属性情報の正当性を検証する。
【０１２０】
例えば、属性情報検出部８１から出力される検出属性情報が端末ユーザの顔画像である場合、かかる顔画像と会員情報格納部９１に記憶された端末ユーザの顔画像とを比較して、端末ユーザから取得される属性情報の認証を行う。
【０１２１】
なお、属性情報検証部９４は、例えば、特定属性情報が顔画像である場合、表示部８３に表示することができる。これにより、店舗の店員等は、表示部８３に表示された端末ユーザの顔画像により端末ユーザが提示した身分証明書の正当性を判定することもできる。
【０１２２】
［１．４．４．情報処理部９５］
情報処理部９５は、属性情報検証部９４の検証により身分証明書が正当であると判定されると、身分確認が終了したことを示す情報を通信部８２経由でユーザ端末３へ送信する。
【０１２３】
また、情報処理部９５は、特定属性情報取得部９３により取得される特定属性情報が会員カード用情報に含まれる特定属性情報と整合する場合、会員情報格納部９１に記憶された会員情報テーブル(図示せず)に特定属性情報を設定することにより、会員登録処理を行う。
【０１２４】
具体的には、特定属性情報には、端末ユーザの氏名、住所、年齢、性別の情報やサイコグラフィック属性の情報が含まれており、情報処理部９５は、これらの情報を新たな会員番号に関連付けて会員情報テーブルに設定する。情報処理部９５は、会員登録処理を終了すると、会員番号の情報を含む会員カード情報をユーザ端末３へ送信する。
【０１２５】
［１．５．情報提供システム１の処理］
次に、実施形態に係る情報提供システム１による情報処理の手順について説明する。
【０１２６】
図９は、情報提供装置２による情報処理フローを説明するための図である。図９に示すように、情報提供装置２の制御部２２は、ユーザ端末３からユーザ登録要求を受け付けたか否かを判定する（ステップＳ２０）。ユーザ登録要求を受け付けたと判定した場合（ステップＳ２０；Ｙｅｓ）、制御部２２は、ユーザ登録要求に含まれる情報をユーザ情報格納部３１のユーザ情報テーブルに設定することにより、ユーザ情報テーブルを更新する（ステップＳ２１）。
【０１２７】
ステップＳ２１の処理が終了した場合、または、ユーザ登録要求を受け付けていないと判定した場合（ステップＳ２０；Ｎｏ）、制御部２２は、ユーザ端末３からの情報提供アプリ登録要求を受け付けたか否かを判定する（ステップＳ２２）。
【０１２８】
情報提供アプリ登録要求を受け付けたと判定した場合（ステップＳ２２；Ｙｅｓ）、制御部２２は、情報提供アプリ登録要求に含まれるユーザ端末３の識別情報を登録端末としてユーザ情報テーブルに登録し、ユーザ情報テーブルを更新する（ステップＳ２３）。
【０１２９】
ステップＳ２３の処理が終了した場合、または、情報提供アプリ登録要求を受け付けていないと判定した場合（ステップＳ２２；Ｎｏ）、制御部２２は、認証要求を受け付けたか否かを判定する（ステップＳ２４）。認証要求を受け付けたと判定した場合（ステップＳ２４；Ｙｅｓ）、制御部２２は、認証処理を行う（ステップＳ２５）。
【０１３０】
ステップＳ２５の処理が終了した場合、または、認証要求を受け付けていないと判定した場合（ステップＳ２４；Ｎｏ）、制御部２２は、ユーザ端末３から情報提供要求を受け付けたか否かを判定する（ステップＳ２６）。
【０１３１】
ユーザ端末３から情報提供要求を受け付けたと判定すると（ステップＳ２６；Ｙｅｓ）、制御部２２は、情報提供要求に応じた情報提供を行う。具体的には、制御部２２は、情報提供要求で特定される端末ユーザに対応するユーザ情報のうち、情報提供要求で特定される店舗に応じたユーザ情報を含む提供情報をユーザ端末３に送信する（ステップＳ２７）。ステップＳ２７の処理、または、ユーザ端末３から情報提供要求を受け付けていないと判定した場合（ステップＳ２６；Ｎｏ）、制御部２２は処理を終了する。
【０１３２】
図１０は、ユーザ端末３による情報処理フローを説明するための図である。図１０に示すように、ユーザ端末３の制御部４５は、情報提供アプリの初期設定画面７０が表示部４１に表示されている状態で、登録ボタン７３へのユーザ操作があったか否かを判定する（ステップＳ３０）。
【０１３３】
制御部４５は、登録ボタン７３へのユーザ操作があったと判定した場合（ステップＳ３０；Ｙｅｓ）、情報提供アプリ登録要求を情報提供装置２へ送信する（ステップＳ３１）。ステップＳ３１の処理が終了した場合、または、登録ボタン７３へのユーザ操作がないと判定した場合（ステップＳ３０；Ｎｏ）、制御部４５は、情報提供アプリの店舗リスト表示画面７４が表示部４１に表示されている状態で、選択ボタン７５〜７７のいずれかが選択されたか否かを判定する（ステップＳ３２）。
【０１３４】
制御部４５は、選択ボタン７５〜７７のいずれかが選択されたと判定した場合（ステップＳ３２；Ｙｅｓ）、情報提供装置２に対して認証要求を送信することにより認証処理を行う（ステップＳ３３）。認証処理が終了すると、制御部４５は、ステップＳ３２において選択されたと判定した選択ボタンに対応する店舗ＩＤ等を含む情報提供要求を情報提供装置２へ送信する（ステップＳ３４）。なお、制御部４５は、通信環境などに応じて、ステップＳ３２の認証要求を省略することもできる。
【０１３５】
制御部４５は、情報提供要求に対して情報提供装置２から送信される提供情報を取得し（ステップＳ３５）、提供装置に含まれる特定属性情報をサービス提供装置４へ送信する（ステップＳ３６）。なお、ユーザ操作により、事前に情報提供アプリによる情報提供を端末ユーザが同意する選択をした場合、制御部４５は、自動取得モードを実行することができる。自動取得モードにおいて、制御部４５は、選択ボタン７５〜７７へのユーザ操作のような確認処理を行うことなく、自動的に情報提供要求を情報提供装置２へ送信し、提供情報を取得する。
【０１３６】
ステップＳ３６の処理が終了した場合、または、選択ボタン７５〜７７のいずれも選択されていないと判定した場合（ステップＳ３２；Ｎｏ）、制御部４５は、その他のユーザ操作があったか否かを判定する（ステップＳ３７）。その他のユーザ操作があったと判定した場合（ステップＳ３７；Ｙｅｓ）、制御部４５は、ユーザ操作に応じた処理を行う（ステップＳ３８）。
【０１３７】
ステップＳ３８の処理が終了した場合、または、その他のユーザ操作がないと判定した場合（ステップＳ３７；Ｎｏ）、制御部４５は、処理を終了する。
【０１３８】
［２．第２の実施形態］
次に、第２の実施形態に係る情報処理システムについて説明する。第２の実施形態に係る情報処理システムは、ユーザの属性を特定する情報を管理する情報管理装置から通信ネットワーク５を介して送信される情報に基づいて、情報提供装置に記憶されている属性情報の正当性を判定する点で第１の実施形態に係る情報提供システム１とは異なる。なお、以下においては、第１の実施形態に係る情報提供システム１と同様の要素については同一符号を付して説明を適宜省略するものとする。
【０１３９】
図１１は、第２の実施形態に係る情報処理システムの構成例を示す図である。図１１に示すように、第２の実施形態に係る情報提供システム１Ａは、情報提供装置２Ａと、ユーザ端末３と、サービス提供装置４と、ユーザ情報管理装置６とを備える。
【０１４０】
情報提供装置２Ａは、正当性判定部３９を備える点で、上述した情報提供装置２と構成が異なる。正当性判定部３９は、要求受付部３５により情報提供要求を受け付けた場合に、情報提供要求で特定される端末ユーザに応じたユーザ情報のうち、情報提供要求で特定される店舗に応じた端末ユーザの属性情報の正当性を判定する。
【０１４１】
具体的には、正当性判定部３９は、ユーザ情報管理装置６に対して、属性情報要求を送信する。属性情報要求には、情報提供要求で特定される端末ユーザの識別情報と、情報提供要求で特定される店舗に応じた端末ユーザの属性の種別を示す情報（以下、判定対象属性情報と記載する）とを含む。正当性判定部３９は、ユーザ情報格納部３１から判定対象属性情報を取得する。
【０１４２】
ユーザ情報管理装置６は、ユーザの属性を特定する情報（以下、ユーザ属性特定情報と記載する）を管理しており、情報提供装置２Ａから属性情報要求を受信すると、属性情報要求に含まれる端末ユーザの識別情報と判定対象属性情報とに応じたユーザ属性特定情報を、情報提供装置２Ａへ送信する。正当性判定部３９は、ユーザ情報管理装置６からユーザ属性特定情報を取得する。そして、正当性判定部３９は、ユーザ情報格納部３１から取得した判定対象属性情報と、ユーザ情報管理装置６から取得したユーザ属性特定情報とが整合性しているか否かを判定する。正当性判定部３９は、整合性（正当性）があると判定した場合には、情報送信部３８は、ユーザ情報格納部３１に記憶された判定対象属性情報を含む提供情報をユーザ端末３へ送信する。一方、整合性（正当性）がなければ、情報生成部３７は、ユーザ情報管理装置６から取得したユーザ属性特定情報を含む提供情報を生成することができ、情報送信部３８は、情報生成部３７が生成した提供情報をユーザ端末３へ送信する。なお、整合性がない場合に、情報提供装置２Ａの要求受付部３５は、情報提供要求を拒否する応答をユーザ端末３へ送信することもできる。
【０１４３】
例えば、ユーザ情報管理装置６が大学の学生情報を管理しているとする。この場合、ユーザ情報管理装置６は、属性情報要求で特定される端末ユーザの学生情報を管理していれば、端末ユーザの学生情報を情報提供装置２Ａへ送信する。正当性判定部３９は、ユーザ情報格納部３１に記憶している学生情報とユーザ情報管理装置６から送信される学生情報との整合性を判定し、整合性があれば、ユーザ情報格納部３１に記憶している学生情報を提供情報に含める。一方、整合性がなければ、情報生成部３７は、ユーザ情報管理装置６から取得した学生情報を提供情報に含める。
【０１４４】
また、例えば、ユーザ情報管理装置６が運転免許証の情報を管理しているとする。この場合、ユーザ情報管理装置６は、属性情報要求に含まれる端末ユーザの運転免許証の情報を管理していれば、端末ユーザの運転免許証がある旨の情報を情報提供装置２Ａへ送信する。一方、情報生成部３７は、ユーザ情報管理装置６から取得した運転免許証に含まれる情報を含む提供情報を含める。
【０１４５】
このように、第２の実施形態に係る情報提供システム１Ａでは、情報提供装置２Ａにおいて記憶されている端末ユーザの属性情報の正当性を担保できない場合であっても、ユーザ情報管理装置６で管理されている情報に基づいて、提示情報に含む属性情報の正当性を担保することができる。
【０１４６】
［３．変形例］
上述した実施形態では、提供情報の送受信は、ユーザ端末３と情報提供装置２（２Ａ）との間で行われるが、提供情報の送受信を情報提供装置２（２Ａ）とサービス提供装置４との間で行うこともできる。この場合、情報提供装置２（２Ａ）の情報送信部３８は情報提供要求に含まれる店舗ＩＤに対応するサービス提供装置４に対して提供情報を送信する。
【０１４７】
また、上述した実施形態では、ユーザ端末３の認証処理部５４は、選択ボタン７５〜７７が選択された場合に、情報提供装置２（２Ａ）に対して認証要求を行うが、アカウント認証部３４は、例えば、情報提示アプリの起動時などに情報提供装置２（２Ａ）に対して認証要求を行うこともできる。
【０１４８】
また、上述した実施形態では、ユーザ端末３とサービス提供装置４との間の通信を近距離無線通信で行うが、人体通信などによってユーザ端末３とサービス提供装置４との間の通信を行うようにしてもよい。また、ユーザ端末３とサービス提供装置４との間の通信は、情報提供装置２から提供される電子証明書を用いた暗号化を施して行うこともできる。
【０１４９】
また、上述した実施形態では、提供情報要求部５５は、選択ボタン７５〜７７が選択された場合に、情報提供要求を情報提供装置２（２Ａ）に送信するが、提供情報要求部５５は、近距離無線通信によりサービス提供装置４からユーザ端末３へ情報提供要求が送信された場合に、情報提供要求を情報提供装置２（２Ａ）へ送信することもできる。サービス提供装置４から目的に応じた情報提供要求を行うことで、端末ユーザの手間を省くことができる。
【０１５０】
また、提供情報要求部５５は、店舗や設備に表示された二次元バーコードなどの情報に基づいて、情報提供要求を情報提供装置２（２Ａ）に送信することもできる。なお、この場合、二次元バーコードには、店舗ＩＤや提供種別の情報が含まれており、かかる情報がユーザ端末３の撮像部（図示せず）によって取得される。提供情報要求部５５は、二次元バーコードから取得された店舗ＩＤや提供種別の情報など情報提供要求に含めて送信する。
【０１５１】
また、上述したユーザ端末３の制御部４５は、有効期限付きの身分証明書情報を提供情報格納部５２に格納するが、制御部４５は、有効期限が経過した身分証明書情報を提供情報格納部５２から消去することもできる。
【０１５２】
［４．ハードウェア構成］
第１および第２の実施形態における情報提供装置２（２Ａ）、ユーザ端末３およびサービス提供装置４は、例えば図１２に示すような構成のコンピュータ１００によって実現することができる。図１２は、情報提供装置２の機能、ユーザ端末３の機能、または、サービス提供装置４の機能を実現するコンピュータの一例を示すハードウェア構成図である。コンピュータ１００は、ＣＰＵ１０１、ＲＡＭ（Random  Access  Memory）１０２、ＲＯＭ（Read  Only  Memory）１０３、ＨＤＤ（Hard  Disk  Drive）１０４、通信インターフェイス（Ｉ／Ｆ）１０５、入出力インターフェイス（Ｉ／Ｆ）１０６、およびメディアインターフェイス（Ｉ／Ｆ）１０７を備える。なお、図示していないが、コンピュータ１００には撮像部なども有する場合がある。
【０１５３】
ＣＰＵ１０１は、ＲＯＭ１０３またはＨＤＤ１０４に格納されたプログラムに基づいて動作し、各部の制御を行う。ＲＯＭ１０３は、コンピュータ１００の起動時にＣＰＵ１０１によって実行されるブートプログラムや、コンピュータ１００のハードウェアに依存するプログラム等を格納する。
【０１５４】
ＨＤＤ１０４は、ＣＰＵ１０１によって実行されるプログラムおよび当該プログラムによって使用されるデータ等を格納する。通信インターフェイス１０５は、通信部２０、４０、４３、８０、８２に対応し、通信ネットワーク５を介して他の機器からデータを受信してＣＰＵ１０１へ送り、ＣＰＵ１０１が生成したデータを、通信ネットワーク５を介して他の機器へ送信する。
【０１５５】
ＣＰＵ１０１は、入出力インターフェイス１０６を介して、ディスプレイやプリンタ等の出力装置、および、キーボードやマウス等の入力装置を制御する。ＣＰＵ１０１は、入出力インターフェイス１０６を介して、入力装置からデータを取得する。また、ＣＰＵ１０１は、生成したデータを、入出力インターフェイス１０６を介して出力装置へ出力する。
【０１５６】
メディアインターフェイス１０７は、記録媒体１０８に格納されたプログラムまたはデータを読み取り、ＲＡＭ１０２を介してＣＰＵ１０１に提供する。ＣＰＵ１０１は、当該プログラムを、メディアインターフェイス１０７を介して記録媒体１０８からＲＡＭ１０２上にロードし、ロードしたプログラムを実行する。記録媒体１０８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５７】
コンピュータ１００が情報提供装置２として機能する場合、コンピュータ１００のＣＰＵ１０１は、ＲＡＭ１０２上にロードされたプログラムを実行することにより、アカウント管理部３３、アカウント認証部３４、要求受付部３５、情報取得部３６、情報生成部３７および情報送信部３８の各機能を実現する。また、ＨＤＤ１０４は、記憶部２１の機能を実現し、ユーザ情報テーブルおよび提供対象情報テーブルなどが格納される。
【０１５８】
また、コンピュータ１００がユーザ端末３として機能する場合、コンピュータ１００のＣＰＵ１０１は、ＲＡＭ１０２上にロードされたプログラムを実行することにより表示制御部５３、認証処理部５４、提供情報要求部５５、提供情報取得部５６、提供情報検証部５７および属性情報通知部５８の各機能を実現する。
【０１５９】
また、コンピュータ１００がサービス提供装置４として機能する場合、コンピュータ１００のＣＰＵ１０１は、ＲＡＭ１０２上にロードされたプログラムを実行することにより特定属性情報要求部９２、特定属性情報取得部９３、属性情報検証部９４および情報処理部９５の各機能を実現する。また、ＨＤＤ１０４は、記憶部８４の機能を実現し、会員情報テーブルなどが格納される。
【０１６０】
コンピュータ１００のＣＰＵ１０１は、これらのプログラムを、記録媒体１０８から読み取って実行するが、他の例として、他の装置から、通信ネットワーク５を介してこれらのプログラムを取得してもよい。
【０１６１】
［５．効果］
実施形態に係る情報提供装置２は、ユーザ情報格納部３１（情報記憶部の一例）と、要求受付部３５と、情報取得部３６と、情報送信部３８とを備える。ユーザ情報格納部３１は、通信ネットワーク５上のサービスを利用する端末ユーザのユーザ情報を記憶する。要求受付部３５は、実空間の店舗と当該店舗を利用する端末ユーザをそれぞれ特定する情報を含む情報提供要求を受け付ける。情報取得部３６は、要求受付部３５により情報提供要求を受け付けた場合、情報提供要求で特定される端末ユーザに対応するユーザ情報のうち、情報提供要求で特定される店舗に応じたユーザ情報をユーザ情報格納部３１から取得する。情報送信部３８は、情報取得部３６により取得されたユーザ情報を含む情報を情報提供要求に応じた通信装置（ユーザ端末３またはサービス提供装置４）へ送信する。
【０１６２】
これにより、通信ネットワーク５上のサービスを利用する端末ユーザのユーザ情報を記憶する情報提供装置２からユーザ端末３またはサービス提供装置４へ、実空間の店舗を利用する端末ユーザのユーザ情報を提供することができる。そのため、端末ユーザは、実空間の店舗においてユーザ情報を容易に取得することができる。これにより、端末ユーザの負担を軽減することができることから、店舗での取引を円滑に行うことができ、店舗での取引促進を図ることが可能となる。
【０１６３】
また、情報提供装置２は、さらに、情報生成部３７を備える。情報生成部３７は、情報取得部３６により取得されたユーザ情報を含む身分証明書情報を生成する。情報送信部３８は、情報生成部３７によって生成された身分証明書情報をユーザ端末３またはサービス提供装置４へ送信する。
【０１６４】
これにより、通信ネットワーク５上のサービスを利用する端末ユーザのユーザ情報を用いて、実空間の店舗で利用される身分証明書情報を端末ユーザまたは店舗に対して提供することができる。そのため、端末ユーザは、身分証明書を忘れた場合であっても、認証センターへの身分証明書データの事前登録などを行うことなく、身分証明書情報を取得することができる。また、身分証明書情報に、端末ユーザの身長、体重、顔画像などの身体的特徴を示す情報を含めることにより、店舗の店員等は、身分証明書情報によって表示される端末ユーザの身体的特徴の情報により端末ユーザの本人確認を精度よく行うことができる。
【０１６５】
また、ユーザ情報格納部３１に記憶されるユーザ情報には、端末ユーザの属性を示す複数の属性情報が含まれる。また、情報取得部３６は、複数の属性情報のうち店舗に応じた属性情報を選択してユーザ情報格納部３１から取得する。また、情報生成部３７は、情報取得部３６によって取得された属性情報を含む身分証明書情報を生成する。
【０１６６】
これにより、端末ユーザは店舗に応じて必要となる身分証明書情報を取得することができることから、店舗での身分証明に不要な属性情報まで提示することを回避することが可能となる。そのため、端末ユーザのプライバシーの漏洩を抑制することができる。また、端末ユーザは、実空間の店舗の店員等に対し、身分証明書情報を提示することで、その場で本人であると主張できる。また、店舗の店員等は、身分証明書情報により端末ユーザの本人確認を行うことができる。これにより、なりすましなどを防止することができる。
【０１６７】
また、情報提供装置２Ａは、さらに、正当性判定部３９を備える。正当性判定部３９は、端末ユーザの属性を特定する情報を管理するユーザ情報管理装置６から通信ネットワーク５を介して送信される情報に基づいて、情報取得部３６によって取得された属性情報の正当性を判定する。情報生成部３７は、正当性判定部３９により属性情報の正当性がないと判定された場合に、ユーザ情報管理装置６（情報管理装置の一例）から取得されるユーザの属性を特定する情報を含む身分証明書情報を生成する。
【０１６８】
これにより、情報提供装置２Ａにおいて記憶されている端末ユーザの属性情報の正当性を担保できない場合には、ユーザ情報管理装置６で管理されている情報に基づいて、提示情報に含む属性情報の正当性を担保することができる。
【０１６９】
また、ユーザ情報格納部３１は、ユーザ端末３の識別情報をユーザ情報に関連付けて記憶している。要求受付部３５は、情報提供要求で特定されるユーザに関連付けられたユーザ端末３の識別情報が情報提供要求に含まれる場合に、情報提供要求を受け付ける。
【０１７０】
これにより、端末ユーザから指定されたユーザ端末３以外の装置に対して身分証明書情報の配布を制限することができることから、端末ユーザのプライバシーの漏洩を抑制することができる。
【０１７１】
また、実施形態に係るユーザ端末３は、記憶部４４（特定情報記憶部の一例）と、提供情報要求部５５と、提供情報取得部５６（身分証明書情報取得部の一例）と、表示部４１とを備える。記憶部４４は、端末ユーザの識別情報（端末ユーザを特定する情報の一例）を記憶する。提供情報要求部５５は、端末ユーザの識別情報と店舗の識別情報とを含む情報提供要求を情報提供装置２へ送信する。提供情報取得部５６は、情報提供装置２から身分証明書情報を取得する。表示部４１は、提供情報取得部５６によって取得された身分証明書情報を表示する。
【０１７２】
これにより、端末ユーザは、身分証明書を忘れた場合であっても、認証センターへの身分証明書データの事前登録などを行うことなく、ユーザ端末３により身分証明書情報を取得することができる。
【０１７３】
また、ユーザ端末３は、さらに、属性情報通知部５８（属性情報通知部の一例）を備える。属性情報通知部５８は、身分証明書情報に含まれる特定属性情報をサービス提供装置４へ通知する。また、サービス提供装置４は、特定属性情報取得部９３（属性情報取得部の一例）と、表示部８３とを備える。特定属性情報取得部９３は、ユーザ端末３から特定属性情報を取得する。表示部８３は、特定属性情報取得部９３によって受信された特定属性情報を表示する。
【０１７４】
これにより、店舗の店員等は、表示部８３に表示された特定属性情報と、端末ユーザの特定属性の状態とを比較することにより、端末ユーザが提示した身分証明書の正当性を判定することができる。例えば、特定属性情報が顔画像である場合、店舗の店員等は、表示部８３に表示された端末ユーザの顔画像により端末ユーザが提示した身分証明書の正当性を判定することができる。
【０１７５】
また、サービス提供装置４は、属性情報検出部８１と、属性情報検証部９４とを備える。属性情報検出部８１は、端末ユーザの属性情報を検出する。属性情報検証部９４は、特定属性情報取得部９３で取得された特定属性情報と属性情報検出部８１により検出された属性情報とを比較して、ユーザ端末３から取得される属性情報の認証を行う。
【０１７６】
これにより、サービス提供装置４は、端末ユーザが提示した身分証明書の正当性を判定することができる。また、身分証明書の正当性が判定された端末ユーザ（以下、認証端末ユーザと記載する）以外の端末ユーザが、認証端末ユーザの身分証明書を自己のユーザ端末３に格納したり、利用することを防止できる。
【０１７７】
［６．その他］
上述した情報提供装置２およびサービス提供装置４は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１７８】
また、図３および図４に示すＩＤの情報は、理解を容易にするために付した情報であり、これらの図に示す情報に限定されない。
【０１７９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１８０】
１、１Ａ  情報提供システム
２、２Ａ  情報提供装置
３  ユーザ端末
４  サービス提供装置
５  通信ネットワーク
６  ユーザ情報管理装置
２０、４０、４３、８０、８２  通信部
２１、４４、８４  記憶部
２２、４５、８５  制御部
３１  ユーザ情報格納部
３２  提供対象情報格納部
３３  アカウント管理部
３４  アカウント認証部
３５  要求受付部
３６  情報取得部
３７  情報生成部
３８  情報送信部
３９  正当性判定部
４１、８３  表示部
４２  操作部
５１  設定情報格納部
５２  提供情報格納部
５３  表示制御部
５４  認証処理部
５５  提供情報要求部
５６  提供情報取得部
５７  提供情報検証部
５８  属性情報通知部
８１  属性情報検出部
９１  会員情報格納部
９２  特定属性情報要求部
９３  特定属性情報取得部
９４  属性情報検証部
９５  情報処理部
【図１Ａ】
2015146128.tif 000003
【図１Ｂ】
2015146128.tif 000004
【図２】
2015146128.tif 000005
【図３】
2015146128.tif 000006
【図４】
2015146128.tif 000007
【図５】
2015146128.tif 000008
【図６】
2015146128.tif 000009
【図７】
2015146128.tif 000010
【図８】
2015146128.tif 000011
【図９】
2015146128.tif 000012
【図１０】
2015146128.tif 000013
【図１１】
2015146128.tif 000014
【図１２】
2015146128.tif 000015